【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
複数の種類の遠隔制御装置から発信される遠隔制御信号を受信し得る遠隔制御信号受信部と、一の被制御機器用の遠隔制御装置から発信される遠隔制御信号が前記遠隔制御信号受信部で受信されたときに、該受信された信号を解析して当該被制御機器の種別を判定する被制御機器判定部と、前記被制御機器判定部による判定結果に応じて、当該被制御機器の種別に適合する制御信号の命令コード体系に係る情報をワールド・ワイド・ウェブ・ページから取得する命令コード情報取得部と、前記命令コード情報取得部によって取得された命令コード体系に係る情報を保持する命令コード情報保持部と、前記命令コード情報保持部で保持された命令コード体系に係る情報に基づいて前記遠隔制御信号受信部で受信された遠隔制御信号に対応した命令コードの再発信制御信号を形成する再発信制御信号形成部と、前記再発信制御信号形成部で形成された再発信制御信号を目的とする被制御機器に伝送する再発信制御信号伝送部と、を含んで構成されたことを特徴とする遠隔制御信号再発信装置。
【請求項２】
前記被制御機器判定部は、選択操作によって当該被制御機器に付属の遠隔制御装置からの入力信号の受信を待機し、該受信があったときには前記入力信号に基づいて当該被制御機器が既に登録済のものであるか否かを判定することを特徴とする請求項１に記載の遠隔制御信号再発信装置。
【請求項３】
前記被制御機器判定部は、前記遠隔制御信号受信部で受信された遠隔制御信号を解析した結果、当該被制御機器は本遠隔制御信号再発信装置であると判定したときには前記命令コード情報取得部を作動させず当該受信された遠隔制御信号に応じて前記再発信制御信号形成部を作動させ、当該被制御機器は本遠隔制御信号再発信装置ではないと判定したときに前記命令コード情報取得部を作動させるように構成されていることを特徴とする請求項２に記載の遠隔制御信号再発信装置。
【請求項４】
無線または有線で供給される放送波を受けて該放送波に復調処理を施してトランスポートストリームを抽出し選局に応じた映像及び音声並びに番組情報を取得するためのフィルタリング処理を行う復調・フィルタリング部と、前記復調・フィルタリング部の映像出力を表示に適合する信号に変換するための処理を行う映像処理部と、前記復調・フィルタリ
ング部の音声出力を発音を行うに適合する信号に変換する音声処理部と、前記復調・フィルタリング部の出力に含まれる番組情報を表示するための処理を行うＯＳＤ部と、前記映像処理部およびＯＳＤ部の出力に基づく映像を表示する表示装置と、前記音声処理部の出力に基づく音声を発音する発音装置と、を更に備え、デジタルテレビジョン受像機としても機能し得るように構成されていることを特徴とする請求項３に記載の遠隔制御信号再発信装置。
【請求項５】
前記被制御機器判定部による判定結果に応じて、当該被制御機器の種別に適合する遠隔操作用の制御操作パターンを表すためのパターン表示データを生成するパターン表示データ生成部と、該パターン表示データ生成部によって生成されたパターン表示データに基づいて前記ＯＳＤ部を通して前記表示装置に当該遠隔操作用の制御操作パターンを表示する制御操作パターン表示部と、を更に備えたことを特徴とする請求項４に記載の遠隔制御信号再発信装置。
【請求項６】
前記遠隔制御信号受信部は、本遠隔制御信号再発信装置に付属の正規の遠隔制御装置から発信される赤外線による遠隔制御信号を受信するように構成され、且つ、前記再発信制御信号伝送部は赤外線による再発信制御信号を外部機器に伝送するように構成されていることを特徴とする請求項１に記載の遠隔制御信号再発信装置。
【請求項７】
前記遠隔制御信号受信部は、本遠隔制御信号再発信装置に付属の正規の遠隔制御装置から発信される赤外線による遠隔制御信号を受信するように構成され、且つ、前記再発信制御信号伝送部はＤＬＮＡ（Digital Living Network Alliance）所定のガイドラインに準
拠した通信方式で外部機器との連携動作を行うためのＤＬＮＡインターフェース部によって構成されていることを特徴とする請求項１に記載の遠隔制御信号再発信装置。
【手続補正２】
【補正対象書類名】明細書
【補正対象項目名】００１４
【補正方法】変更
【補正の内容】
【００１４】
上記課題を解決するために本願では次に列挙するような技術を提案する。
（２）前記被制御機器判定部は、選択操作によって当該被制御機器に付属の遠隔制御装置からの入力信号の受信を待機し、該受信があったときには前記入力信号に基づいて当該被制御機器が既に登録済のものであるか否かを判定することを特徴とする（１）の遠隔制御信号再発信装置。
上記（２）の遠隔制御信号再発信装置によれば、当該被制御機器が既に登録済のものであると判定されたときには重複してこの登録を行うことを回避することができる。
【手続補正３】
【補正対象書類名】明細書
【補正対象項目名】００１５
【補正方法】変更
【補正の内容】
【００１５】
（３）前記被制御機器判定部は、前記遠隔制御信号受信部で受信された遠隔制御信号を解析した結果、当該被制御機器は本遠隔制御信号再発信装置であると判定したときには前記命令コード情報取得部を作動させず当該受信された遠隔制御信号に応じて前記再発信制御信号形成部を作動させ、当該被制御機器は本遠隔制御信号再発信装置ではないと判定したときに前記命令コード情報取得部を作動させるように構成されていることを特徴とする（
２）の遠隔制御信号再発信装置。
【手続補正４】
【補正対象書類名】明細書
【補正対象項目名】００１６
【補正方法】変更
【補正の内容】
【００１６】
上記（３）の遠隔制御信号再発信装置によれば、（２）の遠隔制御信号再発信装置による作用において特に、本遠隔制御信号再発信装置用の遠隔制御装置からの遠隔制御信号が遠隔制御信号受信部で受信されたときには、命令コード情報取得部によって、敢えて自機の命令コード体系に係る情報をワールド・ワイド・ウェブ・ページから取得するような無駄な動作をせず、当該受信された遠隔制御信号に応じて、必要な場合は直ちに、再発信制御信号形成部を作動させて、速やかに、目的とする被制御機器の制御を行うことができる。
【手続補正５】
【補正対象書類名】明細書
【補正対象項目名】００１７
【補正方法】変更
【補正の内容】
【００１７】
（４）無線または有線で供給される放送波を受けて該放送波に復調処理を施してトランスポートストリームを抽出し選局に応じた映像及び音声並びに番組情報を取得するためのフィルタリング処理を行う復調・フィルタリング部と、前記復調・フィルタリング部の映像出力を表示に適合する信号に変換するための処理を行う映像処理部と、前記復調・フィルタリング部の音声出力を発音を行うに適合する信号に変換する音声処理部と、前記復調・フィルタリング部の出力に含まれる番組情報を表示するための処理を行うＯＳＤ部と、前記映像処理部およびＯＳＤ部の出力に基づく映像を表示する表示装置と、前記音声処理部の出力に基づく音声を発音する発音装置と、を更に備え、デジタルテレビジョン受像機としても機能し得るように構成されていることを特徴とする（３）の遠隔制御信号再発信装置。
【手続補正６】
【補正対象書類名】明細書
【補正対象項目名】００１８
【補正方法】変更
【補正の内容】
【００１８】
上記（４）の遠隔制御信号再発信装置によれば、（３）の遠隔制御信号再発信装置による作用において特に、本遠隔制御信号再発信装置は、デジタルテレビジョン受像機としても機能しつつ、種々の被制御機器に対してセンターコントローラとして機能し、自己に対応する遠隔制御装置によって、種々の被制御機器を遠隔制御することができる。
【手続補正７】
【補正対象書類名】明細書
【補正対象項目名】００１９
【補正方法】変更
【補正の内容】
【００１９】
（５）前記被制御機器判定部による判定結果に応じて、当該被制御機器の種別に適合する遠隔操作用の制御操作パターンを表すためのパターン表示データを生成するパターン表示データ生成部と、該パターン表示データ生成部によって生成されたパターン表示データに基づいて前記ＯＳＤ部を通して前記表示装置に当該遠隔操作用の制御操作パターンを表示する制御操作パターン表示部と、を更に備えたことを特徴とする（４）の遠隔制御信号再発信装置。
【手続補正８】
【補正対象書類名】明細書
【補正対象項目名】００２０
【補正方法】変更
【補正の内容】
【００２０】
上記（５）の遠隔制御信号再発信装置によれば、（４）の遠隔制御信号再発信装置による作用において特に、デジタルテレビジョン受像機として具現された本遠隔制御信号再発信装置の表示画面に被制御機器の種別に適合する遠隔操作用の制御操作パターンを映出して、当該制御機器に良く適合したこの制御操作パターンを目安に、操作性に優れた遠隔制御を行うことができる。
【手続補正９】
【補正対象書類名】明細書
【補正対象項目名】００２１
【補正方法】変更
【補正の内容】
【００２１】
（６）前記遠隔制御信号受信部は、本遠隔制御信号再発信装置に付属の正規の遠隔制御装置から発信される赤外線による遠隔制御信号を受信するように構成され、且つ、前記再発信制御信号伝送部は赤外線による再発信制御信号を外部機器に伝送するように構成されていることを特徴とする（１）の遠隔制御信号再発信装置。
上記（６）の遠隔制御信号再発信装置によれば、（１）の遠隔制御信号再発信装置による作用において特に、本遠隔制御信号再発信装置は、極めてよく普及している一般的な赤外線遠隔制御装置（自機用の遠隔制御装置）の制御信号を種々の被制御装置を制御するために適合させるための赤外線制御信号変換装置として機能し得る。即ち、本遠隔制御信号再発信装置が、種々の被制御機器に対してセンターコントローラとして機能し得る。
【手続補正１０】
【補正対象書類名】明細書
【補正対象項目名】００２２
【補正方法】変更
【補正の内容】
【００２２】
（７）前記遠隔制御信号受信部は、本遠隔制御信号再発信装置に付属の正規の遠隔制御装置から発信される赤外線による遠隔制御信号を受信するように構成され、且つ、前記再発信制御信号伝送部はＤＬＮＡ（Digital Living Network Alliance）所定のガイドライン
に準拠した通信方式で外部機器との連携動作を行うためのＤＬＮＡインターフェース部によって構成されていることを特徴とする（１）の遠隔制御信号再発信装置。
【手続補正１１】
【補正対象書類名】明細書
【補正対象項目名】００２３
【補正方法】変更
【補正の内容】
【００２３】
上記（７）の遠隔制御信号再発信装置によれば、（１）の遠隔制御信号再発信装置による作用において特に、本遠隔制御信号再発信装置は、ＤＬＮＡインターフェースで結ばれた外部の種々の被制御機器に対してセンターコントローラとして機能し、自己に対応する遠隔制御装置によって、種々の被制御機器を遠隔制御することができる。